(57)【要約】【課題】空気調和機に内装されるドレン水排出用のポンプにおける吐出口での異物の詰まり防止を図る。【解決手段】排水ポンプは、モータにより駆動される回転羽根１００を有し、回転羽根１００を収容するハウジング５０は、吸込口と吐出口７０を備える。ハウジング５０は、内周壁５６で囲まれるポンプ室５２を有し、回転羽根１００で加圧されたドレン水は吐出口７０から吐出される。吐出通路７２の入口部７４の回転羽根１００の回転方向Ｒ１に対して上流側に段付部５６ａを設ける。この構成により吐出通路の入口部７４の異物の詰まりが防止される。【選択図】        図４
2004332678.tif 000002
【特許請求の範囲】
【請求項１】
モータと、モータの出力軸に連結される回転羽根と、回転羽根を収容するハウジングを有し、ハウジングは回転羽根の小径羽根が挿入される吸込口と、ポンプ室の側部に設けられる吐出口を備える排水ポンプであって、
ハウジングは、ポンプ室を形成する円筒形の内周壁と、ポンプ室から放射方向へ延びる吐出口に形成される吐出通路を有し、ポンプ室の内周壁と吐出通路の入口部との間に設けられる段付部を備える排水ポンプ。
【請求項２】
段付部は、吐出通路入口部に対して、ポンプ室内で回転する回転羽根の上流側の端部に設けられる請求項１記載の排水ポンプ。
【請求項３】
段付部は、吐出通路の軸線上に設けられる請求項１記載の排水ポンプ。
【発明の詳細な説明】
【０００１】
【発明の属する技術分野】
本発明は排水ポンプ、特に空気調和機に装備される排水ポンプに関する。
【０００２】
【従来の技術】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたポンプ本体であるハウジング内に羽根を回転自在に設け、この羽根をハウジングの開口の上部にカバーを介して固定したモータにより回転させている。そのモータの駆動軸は、カバーに形成された貫通穴を回転自在に貫通して羽根のシャフト部に連結され、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
この種の排水ポンプは、例えば、本出願人に係る特許文献１に開示されている。
【０００３】
【特許文献１】
特開２０００−２１３７７０号公報
【０００４】
【発明が解決しようとする課題】
空気調和機で処理される空気中には、室内に浮遊するゴミ等の異物が含まれ、この浮遊する異物がドレン水に混入してドレンパンに落下する。
排水ポンプは、この異物が混入したドレン水を吸込んで吐出するが、この際に異物が吐出口の入口を塞ぎ、揚水不良の原因となる。
本発明は、上述した不具合を解消する排水ポンプを提供するものである。
【０００５】
【課題を解決するための手段】
本発明の排水ポンプは、基本的手段として、モータと、モータの出力軸に連結される回転羽根と、回転羽根を収容するハウジングを有し、ハウジングは回転羽根の小径羽根が挿入される吸込口と、ポンプ室の側部に設けられる吐出口を備える。そして、ハウジングは、ポンプ室を形成する円筒形の内周壁と、ポンプ室から放射方向へ延びる吐出口に形成される吐出通路を有し、ポンプ室の内周壁と吐出通路の入口部との間に設けられる段付部を備えるものである。段付部は、吐出通路入口部に対して、ポンプ室内で回転する回転羽根の上流側の端部に設けらることができる。さらに、段付部は、吐出通路の軸線上に設けることもできる。
【０００６】
【発明の実施の形態】
図１は、本発明を適用する排水ポンプの説明図、図２はポンプ本体部の断面図である。
全体を符号１で示す排水ポンプは、電動モータ１０を有し、電動モータ１０は、ライン１１を介して給電される。電動モータ１０は、ブラケット２０により支持され、ブラケット２０の下端部は、ポンプハウジング（ポンプ本体）５０の上部に取付けられる蓋部材３０に連結される。
【０００７】
ハウジング５０は、プラスチックでつくられ、内部にポンプ室５２が形成される。ハウジング５０には、ポンプ室５２に連通される吸込口６０と吐出口７０が一体に形成される。
ポンプ室５２内には、回転羽根１００が配設され、ポンプ室５２の開口部は蓋部材３０で覆われる。ハウジング５０と蓋部材３０の間にはシール部材４０が挿入され、ポンプ室からのドレン水の漏水が防止される。
【０００８】
回転羽根は軸部１１０を有し、軸部１１０の有底穴に電動モータ１０の出力軸１２が挿入される。蓋部材３０は軸部１１０が貫通する開口部３２を有する。開口部３２から噴出するドレン水のモータ側への飛散を防止するために、円盤状のストッパ１４が取付けられる。
【０００９】
回転羽根１００は、軸部１１０から放射方向に延びる板状の大径羽根１２０を有する。大径羽根１２０は、テーパー状の連結部１３０を介して板状の小径羽根１４０に接続される。
大径羽根１２０はハウジング５０のポンプ室５２内に収容され、小径羽根１４０は吸込口６０の内部に収容される。
【００１０】
大径羽根１２０の下縁部及び外縁部は、環状部材１６０により覆われる。環状部材１６０は、大径羽根１２０の外縁部を覆う円筒状壁部材１６４及びこれに連続する大径羽根１２０の下縁部を覆う皿状の底部材１６２とからなる。底部材１６２は、ハウジング５０のポンプ室５２の底面形状に対応する形状を有する。なお、図では底部材１６２には、その上面に大径羽根１２０間で補助羽根１２０’が立設され、軸部１１０に対し放射方向に円筒状壁部材１６４の円壁に接続して設けられている。また、この補助羽根１２０’は省略してもよい。
【００１１】
小径羽根１４０は平板状のもので、その下端縁１４０ａは、吸込口６０の入口部６２の近傍にまで延びている。小径羽根１４０に対して直交する位置に配設される補助小径羽根１４２は、その下縁部１４２ａが小径羽根１４０の下縁部１４０ａに対して、吸込口６０の入口部６２からは離れる位置になるように形成される。
【００１２】
図３は、本発明の第１の実施例に係るハウジングの平面図（ａ）と正面図（ｂ）である。
ハウジング５０は円周壁５６で囲まれるポンプ室５２を有し、ポンプ室５２の中心部は吸込口６０の入口部６２に連通している。
ハウジング５０は、吸込口６０を挟んで１対の取付部５４を有する。この取付部５４は、蓋部材３０を保持する機能を備える。
【００１３】
ポンプ室５２から放射方向に延びる吐出口７０の内部には、吐出通路７２が形成される。吐出通路７２はポンプ室５２に開口する吐出通路の入口部７４から出口部７６に向けて、内径寸法が大きくなるテーパーが付してある。
そして、ポンプ室５２と吐出通路７２の入口部７４との境界にあって、ポンプ室５２の平面形状において、段付部５６ａが形成される。
【００１４】
図４は、ハウジング５０と回転羽根１００との関係を示す平面図である。
図において、回転羽根１００は、矢印Ｒ１方向に回転する。段付部５６ａは、吐出通路入口部７４の回転羽根１００の回転方向の上流側の端部に設けられる。
【００１５】
この構成により、ポンプ室５２と吐出通路入口部７４の境界部で発生するドレン水中の異物の付着が防止され、揚水不良の発生原因が除去されることが実験により確認された。
【００１６】
図５は、本発明の第２の実施例に係るハウジングの平面図（ａ）と正面図（ｂ）である。
ハウジング５０は円周壁５６で囲まれるポンプ室５２を有し、ポンプ室５２の中心部は吸込口６０の入口部６２に連通している。
ハウジング５０は、吸込口６０を挟んで１対の取付部５４を有する。この取付部５４は、蓋部材３０を保持する機能を備える。
【００１７】
ポンプ室５２から放射方向に延びる吐出口７０の内部には、吐出通路７２が形成される。吐出通路７２はポンプ室５２に開口する吐出通路の入口部７４から出口部７６に向けて、内径寸法が大きくなるテーパーが付してある。
そして、ポンプ室５２と吐出通路７２の入口部７４との境界にあって、ポンプ室５２の平面形状において、段付部５６ｂが形成される。段付部５６ｂは、吐出通路入口部７４の軸線上に設けられる。
【００１８】
この構成により、ポンプ室５２と吐出通路入口部７４の境界部で発生するドレン水中の異物の付着が防止され、揚水不良の発生原因が除去されることが実験により確認された。
【００１９】
【発明の効果】
本発明の排水ポンプは以上のように、空気調和機に送り込まれる室内空気に含まれる浮遊ゴミ等の異物がドレン水と共に吐出口から吐出される際に、吐出通路の入口付近に付着することが防止できる。したがって、吐出口の詰まりにより発生する揚水不良が防止できる。
【図面の簡単な説明】
【図１】本発明の排水ポンプの全体構造を示す説明図。
【図２】本発明の排水ポンプの要部の断面図。
【図３】本発明の排水ポンプのハウジングの第１の実施例を示す説明図。
【図４】本発明の排水ポンプのハウジングの第１の実施例の作用を示す平面図。
【図５】本発明の排水ポンプのハウジングの第２の実施例を示す説明図。
【符号の説明】
１  排水ポンプ
１０  電動モータ
２０  ブラケット
３０  蓋部材
５０  ハウジング
５２  ポンプ室
５６  内周壁
５６ａ  段付部
６０  吸込口
７０  吐出口
７２  吐出通路
７４  吐出通路入口部
７６  吐出通路出口部
１００  回転羽根
１２０  大径羽根
１４０  小径羽根
１４２  補助小径羽根
【図１】
2004332678.tif 000003
【図２】
2004332678.tif 000004
【図３】
2004332678.tif 000005
【図４】
2004332678.tif 000006
【図５】
2004332678.tif 000007